(57)【要約】【課題】対物レンズを変位可能に支持する弾性支持部材を保護することができ、かつ薄型化可能な対物レンズ駆動装置及び情報記録再生装置を提供する。【解決手段】対物レンズ駆動装置は、弾性支持部材５の振動を吸収するためのダンプ材９を充填するダンプ保持部材１０を有する。ダンプ保持部材１０は、ダンプ材を充填するための空間部を有するダンプ充填部１０ａと、このダンプ充填部１０ａから弾性支持部材５の延在方向に向かって、弾性支持部材５を囲うように一体形成された保護部１０ｂを備える構成とすることで、弾性支持部材の変形を防止し、かつ薄型化できる。【選択図】図１
2005267820.tif 000002
【特許請求の範囲】
【請求項１】
対物レンズと、該対物レンズを保持するレンズホルダと、該レンズホルダを支持する弾性支持部材と、前記レンズホルダとともに前記対物レンズを変位させる駆動制御を行う対物レンズ駆動手段とを有する対物レンズ駆動装置において、該対物レンズ駆動手段は、前記弾性支持部材の振動を吸収するためのダンプ材を充填するダンプ保持部材を有し、該ダンプ保持部材は、前記弾性支持部材を囲う保護部を備えていることを特徴とする対物レンズ駆動装置。
【請求項２】
請求項１に記載の対物レンズ駆動装置において、前記レンズ駆動手段は、前記レンズホルダに固着されたフォーカスコイルと、該フォーカスコイルに備え付けられたトラッキングコイルと、前記フォーカスコイル及び前記トラッキングコイルに対して磁界が作用するように設けられたマグネットとを有し、前記トラッキングコイルまたは前記フォーカスコイルに電流を流すことによって、前記レンズホルダとともに前記対物レンズを変位させることを特徴とする対物レンズ駆動装置。
【請求項３】
請求項２に記載の対物レンズ駆動装置において、前記ダンプ保持部材は、前記対物レンズが変位した際に、前記対物レンズ、前記レンズホルダ、前記フォーカスコイル、及び前記トラッキングコイルを含む可動部の一部が所定位置で当接するように構成することにより、前記対物レンズの光軸方向、及び光軸方向と直交する方向の変位量を制限することを特徴とする対物レンズ駆動装置。
【請求項４】
請求項１ないし３のいずれか１に記載の対物レンズ駆動装置において、前記ダンプ保持部材は、前記ダンプ充填部に対して前記弾性支持部材が差し込まれる開口と、前記ダンプ材を注入するダンプ材注入用穴部とを有し、該ダンプ材注入用穴部は、前記弾性支持部材が差し込まれる開口が配される面以外の面に設けられていることを特徴とする対物レンズ駆動装置。
【請求項５】
請求項１ないし４のいずれか１に記載の対物レンズ駆動装置を備える情報記録再生装置。
【発明の詳細な説明】
【技術分野】
【０００１】
本発明は、光ビームが対物レンズを介して、記録媒体に集光することによって、情報を光学的に記録、再生、消去することができる情報記録再生装置用の対物レンズ駆動装置に関するものである。
【背景技術】
【０００２】
光ディスクを記録媒体として使用する情報記録再生装置に備えられる光ピックアップ装置には、対物レンズの焦点位置を補正するための対物レンズ駆動装置が含まれている。この対物レンズ駆動装置は、対物レンズによって集光された光ビームの微小な集光点を、光ディスクの記録面に正確に走査させることができるように、対物レンズの集光点の位置を補正する。
【０００３】
対物レンズ駆動装置は、対物レンズを保持するためのレンズホルダ、集光された光ビームの光軸方向（以下、「フォーカス方向」という。）にレンズホルダを駆動するためのフォーカスコイル、及び光軸と直交する方向（以下、「トラッキング方向」という。）に駆動するためのトラッキングコイルを含み、それぞれのコイルに対向する位置にマグネットを配置して、マグネットから発生した磁界を各コイルに作用させる。
上記の対物レンズ、レンズホルダ、フォーカスコイル、及びトラッキングコイルは、マグネットに対して相対的に変位する可動部を構成し、この可動部は、フォーカス方向及びトラッキング方向に変位可能なように弾性支持部材で支持されている。
【０００４】
以上のような構成の対物レンズ駆動装置の動作について説明する。可動部をフォーカス方向へ駆動する際は、フォーカスコイルに電流を供給することで、マグネットから発生した磁界によってフレミングの左手の法則の作用により可動部がフォーカス方向に駆動される。また可動部をトラッキング方向へ駆動する際は、トラッキングコイルに電流を供給することで、マグネットから発生した磁界によってフレミングの左手の法則の作用により可動部がトラッキング方向に駆動される。
【０００５】
ここで、対物レンズを含む可動部がフォーカス方向へ駆動されることによって、光ディスクの記録面に集光点を一致させるためのフォーカス補正が行われ、また、対物レンズがトラッキング方向へ駆動されることによって、光ディスクの記録面のトラックに集光点を追従させるためのトラッキング補正が行われる。
【０００６】
可動部を支持する弾性支持部材は、細い板バネ材またはワイヤ材が用いられる。このために、作業中に作業者の手もしくは機器が触れる等の外力を受けたり、他部品との干渉を起こしたりすることより、屈曲・変形を起こす可能性がある。屈曲・変形した弾性支持部材では、所定の周波数特性、及び対物レンズチルト特性を得ることができず、光ディスクへの記録再生ができない可能性もある。
【０００７】
そこで、従来では、弾性支持部材を保護し、屈曲・変形を防止する目的で、対物レンズ駆動装置全体を覆うような保護用のカバーが取り付けられる。しかし、カバーを取り付けることで、対物レンズ駆動装置が大型化し、装置全体の小型・軽量化の妨げとなっている。また、このような構成によって、部品点数及び組立工数の増加によるコスト高にもつながっている。
【０００８】
上記のような課題を解決する手段を備える対物レンズ駆動装置の従来技術として、例えば、特許文献１の対物レンズ駆動装置がある。図９は、特許文献１に開示された対物レンズ駆動装置の構成例を示す斜視図で、図中、２１は対物レンズ、２２はフレキシブル基板、２３はベース、２４は枠である。この特許文献１の対物レンズ駆動装置は、可動部側にマグネットを備えるムービングマグネット方式の構成を有するものであり、ベース２３に取り付けられたコイル（図示せず）との電気結線を行うためのフレキシブル基板２２を備えている。このフレキシブル基板２２は、対物レンズ駆動装置の枠２４に固定され、かつ対物レンズ駆動装置上面（光軸方向のディスク側）の開口部を覆うように配置されているため、弾性支持部材（図示せず）を保護するカバーの機能を兼用している。これにより、従来必要であったカバーを不要にしている。
【０００９】
また、図１０は、特許文献２に記載された光学ピックアップ装置における対物レンズアクチュエータ（対物レンズ駆動装置）の構成例を示す斜視図で、図中、３１は対物レンズ、３２はワイヤ、３３は周壁部、３４はスライドベースである。
この対物レンズ駆動装置では、対物レンズ駆動装置が搭載されたスライドベース３４の周縁部分に、ワイヤ３２による弾性支持部材を保護するための周壁部３３を枠状に突出形成している。これにより、スライドベース３４がガイド軸に沿う方向に移動した際にも、他の部材との接触を防止し、対物レンズ３１に対するディスクカートリッジ、あるいはディスクの突き当たりを防止することを可能としている。さらに、周壁部３３で対物レンズ３１等を保護をしているため、装置本体の高さが低減されている。
【特許文献１】特開平９−３０５９９４号公報
【特許文献２】特開平９−３２００６０号公報
【発明の開示】
【発明が解決しようとする課題】
【００１０】
最近では、記録の高密度化の実現に伴い、集光点をより微小にするため、対物レンズの開口率（ＮＡ）が大きくなっている。ゆえに、対物レンズからディスク下面までの距離（ワーキングディスタンス）が従来のものと比較して、極端に短くなっている。
【００１１】
ここで、上記特許文献１に開示されている対物レンズ駆動装置（図９）においては、保護用カバーの代わりにフレキシブル基板２２を対物レンズ駆動装置上面の開口部を覆うように配置して、内部の弾性支持部材を保護する機能も持たせているが、上述したように、対物レンズ２１から図示しないディスク下面までの距離が短く、従来と比較するとスペースが極端に狭くなっているため、対物レンズ駆動装置上面にカバー、もしくは、それに代わる部品を配置することが困難である。仮に、カバー等を配置した場合でも、対物レンズ駆動装置、及び対物レンズ駆動装置が搭載された光ピックアップの傾き調整を行うと、ディスク下面とのクリアランスがなくなり、対物レンズとディスクとが接触する可能性が生じる。
【００１２】
また、上記特許文献２に開示されている対物レンズ駆動装置（図１０）は、対物レンズ駆動装置の周縁に、スライドベース３４上に突出させた形状の周壁部３３を設けることで、弾性支持部材であるワイヤ３２を保護する構成を有している。しかしながら、この構成では、対物レンズ駆動装置単体では弾性支持部材全体が露出した状態となり、弾性支持部材を保護することができない。また、弾性支持部材は、スライドベース３４上で側面から保護されているが、その上面は開口状態であるため、外力等が加わることで弾性支持部材が変形を起こす可能性がある。
【００１３】
例えば、作業中にビス等がマグネットにより吸引され、弾性支持部材に接触することで変形する、または、対物レンズ駆動装置を輸送中に外力が加わり、対物レンズ駆動装置同士がマグネットにより吸引され、弾性支持部材が変形する、等の問題が生じることが考えられる。
【００１４】
以上のように、対物レンズとディスク下面までの距離が短く、カバー等を配置するスペースが狭い構成では、対物レンズ駆動装置上面に部品を配置することは困難であり、弾性支持部材を保護することができない。また、スライドベース上に周壁部を設けて、弾性支持部材を保護する場合においても、上面は開口された状態であるため、各方向からの保護が不可能な構成となっている。
【００１５】
本発明は、上記の問題点を解決するためになされたものであり、弾性支持部材を保護することができ、かつ薄型化可能な対物レンズ駆動装置及び情報記録再生装置を提供することを目的とする。加えて、従来必要であった保護用カバー等を不要とするため、部品点数の削減、コストダウン、組立工数の削減、組立時間の短縮などの効果により、生産性の高い装置を提供することを目的とする。
【課題を解決するための手段】
【００１６】
第１の技術手段は、対物レンズと、対物レンズを保持するレンズホルダと、レンズホルダを支持する弾性支持部材と、レンズホルダとともに対物レンズを変位させる駆動制御を行う対物レンズ駆動手段とを有する対物レンズ駆動装置において、対物レンズ駆動手段は、弾性支持部材の振動を吸収するためのダンプ材を充填するダンプ保持部材を有し、ダンプ保持部材は、弾性支持部材を囲う保護部を備えていることを特徴としたものである。
【００１７】
第２の技術手段は、第１の技術手段において、レンズ駆動手段は、レンズホルダに固着されたフォーカスコイルと、フォーカスコイルに備え付けられたトラッキングコイルと、フォーカスコイル及びトラッキングコイルに対して磁界が作用するように設けられたマグネットとを有し、トラッキングコイルまたはフォーカスコイルに電流を流すことによって、レンズホルダとともに対物レンズを変位させることを特徴としたものである。
【００１８】
第３の技術手段は、第２の技術手段において、ダンプ保持部材は、対物レンズが変位した際に、対物レンズ、レンズホルダ、フォーカスコイル、及びトラッキングコイルを含む可動部の一部が所定位置で当接するように構成することにより、対物レンズの光軸方向、及び光軸方向と直交する方向の変位量を制限することを特徴としたものである。
【００１９】
第４の技術手段は、第１ないし第３のいずれか１の技術手段において、ダンプ保持部材は、ダンプ充填部に対して弾性支持部材が差し込まれる開口と、ダンプ材を注入するダンプ材注入用穴部とを有し、ダンプ材注入用穴部は、弾性支持部材が差し込まれる開口が配される面以外の面に設けられていることを特徴としたものである。
【００２０】
第５の技術手段は、上記第１ないし第４のいずれか１の技術手段による対物レンズ駆動装置を備える情報記録再生装置であることを特徴としたものである。
【発明の効果】
【００２１】
本発明の対物レンズ駆動装置の構成によれば、弾性支持部材の変形防止を可能とする構成で、かつ対物レンズ駆動装置の薄型化が実現できる。また、従来必要とされてきた弾性支持部材保護用のカバーが不要となるため、部品点数の削減、コストダウンの効果がある。また、組立性の向上により、組立時間の短縮を可能とする。加えて、対物レンズ駆動装置単体での安全性、作業時、及び輸送時の取り扱いが容易となり、生産性の向上にもつながる。
【００２２】
また、本発明の対物レンズ駆動装置を搭載する情報記録再生装置によれば、薄型化を可能とし、かつあらゆる方向の外力に対しても、弾性支持部材の変形を起こさない安定した情報記録再生装置を提供することができる。
【発明を実施するための最良の形態】
【００２３】
以下に本発明の実施形態を添付された図面を参照しながら具体的に説明する。なお、実施形態を説明するための全図において、同様の機能を有する部分には同じ符号を付け、その繰り返しの説明は省略する。
（実施形態１）
図１は、本発明による対物レンズ駆動装置の一実施形態を示す平面図、図２は、対物レンズ駆動装置の側面図をディスクとともに示す図、図３は、図１のＡ−Ａ部における断面図である。
本実施形態における対物レンズ駆動装置は、光を集束させるための対物レンズ１が、レンズホルダ２の上面に保持されている。そしてレンズホルダ２の側面には、フォーカスコイル３、及びトラッキングコイル４が配置されている。またレンズホルダ２は、フォーカス方向Ｆ、及びトラッキング方向Ｔに移動可能なように弾性支持部材５で支持されている。この弾性支持部材５は、それぞれのコイル（上記フォーカスコイル３，トラッキングコイル４）に電流を供給する給電部材も兼用している。これら、対物レンズ１，レンズホルダ２，フォーカスコイル３，及びトラッキングコイル４によって可動部１１が構成されている。また、フォーカスコイル３、及びトラッキングコイル４が対向する位置にマグネット６が配置され、このマグネット６がベース７から立設されたヨーク８に固着されている。
【００２４】
ここで、弾性支持部材５は、その一端がレンズホルダ２側に半田固定され、他端が固定部側に半田固定されている。弾性支持部材５の固定部側付近には、弾性支持部材５の振動を吸収するためのダンプ材９が充填されたダンプ保持部材１０が備えられている。
【００２５】
図４は、上記ダンプ保持部材１０の斜視概略図である。ダンプ保持部材１０は、ダンプ材９が充填されるダンプ充填部１０ａと、弾性支持部材５を保護する保護部１０ｂとから構成されている。ダンプ充填部１０ａは、ダンプ材９を充填するための空間部１２を有している。また、保護部１０ｂは、ダンプ充填部１０ａから弾性支持部材５の延在方向に、弾性支持部材５の上面、及び側面を覆うように一体形成されている。弾性支持部材５は、ダンプ保持部材１０中のダンプ材９を貫通しており、ダンプ材９が弾性支持部材５の固定部付近を囲むように接触することで、弾性支持部材５の振動がダンプ材９に吸収される。
【００２６】
上記のような構成の対物レンズ駆動装置の動作について説明する。まず、対物レンズ１を含む可動部１１をフォーカス方向Ｆに駆動する際には、フォーカスコイル３に電流を供給し、マグネット６の磁界作用により、可動部１１をフォーカス方向Ｆに変位させる。同様に、可動部１１をトラッキング方向Ｔに駆動する際には、トラッキングコイル４に電流を供給し、マグネット６の磁界作用により、可動部１１をトラッキング方向Ｔに変位させる。このようなフォーカス方向Ｆ、及びトラッキング方向Ｔに対物レンズ１を含む可動部１１を変位させることにより、ディスク記録面上のトラックに、光ビームの集光点を一致させる補正動作を行う。すなわち、上記フォーカスコイル３，トラッキングコイル４，及びマグネット６とを含んで、本発明による対物レンズ駆動手段が構成される。
【００２７】
最近では、記録容量を増加させるために、光ビームの集光点をより微小にすることが必要となってきている。そのため、対物レンズ１のＮＡを大きくすることで、集光点を絞って微小にしている。これに伴い、対物レンズ１からディスク下面までの距離が極端に短くなり、弾性支持部材５を保護するカバーを形成するスペースがほとんどなくなっている。
【００２８】
前述のように、上記特許文献１の対物レンズ駆動装置では、対物レンズ駆動装置の上面開口部をフレキシブル基板２２で覆うように構成しているため、対物レンズ駆動装置自体の高さが大きくなっている。しかし、本実施形態の対物レンズ駆動装置によれば、弾性支持部材５の延在方向に、該弾性支持部材４を囲むようにダンプ保持部材１０を構成しているだけであるため、対物レンズ駆動装置自体の高さは大きくならず、上記特許文献１と比較して薄型化が可能となり、かつ弾性支持部材５を保護することができる。また、従来必要とされていた保護用カバーも必要なくなるため、部品点数を削減でき、コストダウン、組立工数の削減、組立時間の短縮も行うことができる。
【００２９】
また、上記特許文献２の対物レンズ駆動装置構成によれば、ワイヤ３２による弾性支持部材を保護する効果は、スライドベース３４上に周壁部３３が搭載された状態でのみ達成され、対物レンズ駆動装置単体状態ではそのような保護効果を達成することができない。
また、スライドベース３４上に周壁部３３が搭載された状態でも、上面を保護することはできないため、上面からの外力の影響を受けた場合、弾性支持部材が変形する可能性がある。
【００３０】
このような課題に対しても、本実施形態の対物レンズ駆動装置によれば、ダンプ保持部材１０が対物レンズ駆動装置単体に備えられているため、ベース７に搭載される前の対物レンズ駆動装置単体の状態でも、弾性支持部材５を保護することができる。また、弾性支持部材５の上面、及び側面を覆うようにダンプ保持部材１０を構成しているため、各方向からの外力の影響を最小限にすることができ、弾性支持部材５の変形を防止することを可能とする。
【００３１】
以上より、弾性支持部材５の変形を防止可能で、薄型の対物レンズ駆動装置を提供することができ、かつ部品点数を削減、コストダウンを実現できる。また、対物レンズ駆動装置単体状態でも、弾性支持部材５を保護することができるため、組立作業時、及び輸送時においても、弾性支持部材５の変形を防止することができ、安全性に優れた対物レンズ駆動装置を提供することを可能とする。
【００３２】
（実施形態２）
図５は、フォーカス方向Ｆに駆動された状態の対物レンズ駆動装置を示す正面概略図で、図６は、トラッキング方向Ｔに駆動された状態の対物レンズ駆動装置を示す正面概略図である。
本実施形態における対物レンズ駆動装置は、ダンプ保持部材１０の保護部１０ｂと、可動部１１とを当接させることにより、フォーカス方向Ｆ、及びトラッキング方向Ｔの変位量を制限する。
【００３３】
図５は、可動部１１がフォーカス方向Ｆに駆動された際に、可動部１１と保護部１０ｂとが当接した状態を示している。また図６は、可動部１１がトラッキング方向Ｔに駆動された際に、可動部１１が保護部１０ｂと当接した状態を示している。このような構成により、可動部１１が保護部１０ｂに所定位置で当接することにより、Ｆ方向及びＴ方向への所定レベル以上の変位を制限することができ、可動部１１の他部品との干渉を防ぎ、装置の耐衝撃性を向上させることができる。
【００３４】
従来は、可動部１１の変位量を制限するために、可動部１１と当接させる別ストッパ部材を設けるか、もしくは、対物レンズ駆動装置のベース、及び対物レンズ駆動装置搭載用のスライドベースに立設部を設ける必要があった。しかし、本実施形態の対物レンズ駆動装置構成によれば、変位量を制限する別ストッパ部材を設ける必要がないため、部品点数を削減することができ、かつコストダウン、組立工数の削減、組立時間を短縮することが可能となる。また、ベース７に余計な立設部を設ける必要がないため、形状の簡略化、及び設計の自由度の向上が実現できる。
【００３５】
（実施形態３）
図７は、本発明の対物レンズ駆動装置の第３の実施形態を示す側面図である。また図８は、対物レンズ駆動装置が備えるダンプ保持部材の斜視概略図である。
【００３６】
本実施形態においては、弾性支持部材５の振動を吸収するためのダンプ材９を注入するためのダンプ材注入用穴部１０ｃをダンプ保持部材１０に設ける。
ダンプ保持部材１０には、弾性支持部材５が差し込まれる開口ｏ、すなわち弾性支持部材５が貫通配置される開口ｏが設けられるが、このダンプ材注入用穴部１０ｃは、ダンプ保持部材１０の弾性支持部材５が貫通配置される開口ｏが配される面とは別の面、すなわちダンプ保持部材１０の側面、もしくは上面に設けられる。
【００３７】
従来、弾性支持部材の振動を吸収させるためのダンプ材９は、箱形形状のダンプ保持部材の開口面から、ディスペンサー等を用いて注入されていた。しかし組立工程では、弾性支持部材をダンプ保持部材に貫通させて半田固定した後、開口面に弾性支持部材が配置された状態でダンプ材を注入する必要があるため、注入時にディスペンサー等が弾性支持部材に接触し、その弾性支持部材を変形させてしまうという問題が発生する。
【００３８】
しかし、本実施の形態の対物レンズ駆動装置構成によれば、弾性支持部材５が配置される開口面とは別の面に、ダンプ材９を注入するための通り道として、ダンプ材注入用穴部１０ｃを設けているため、ダンプ材９を注入する際にディスペンサー等が弾性支持部材５と接触することがなく、ダンプ材９をダンプ充填用の空間部１２に安定して注入することが可能となり、作業時の弾性支持部材５の変形を防止することができる。また、本実施形態によりダンプ材の注入作業が容易となるため、組立性の向上、及び組立時間の短縮にも効果がある。
【００３９】
上述の各実施形態の対物レンズ駆動装置を備えた情報記録再生装置を構成する。本実施形態の情報記録再生装置では、弾性支持部材の変形を防止し、かつ薄型化可能な対物レンズ駆動装置を搭載することで、動作信頼性が高く、かつ薄型の情報記録再生装置を提供することができる。
【００４０】
また、ダンプ保持部材に、弾性支持部材の振動を吸収する機能、弾性支持部材を保護する機能、及び可動部の可動量を制限する機能を兼用させることができるため、部品点数を削減でき、かつ対物レンズ駆動装置の大型化を防ぎ、形状の簡素化が可能となる。そしてこれにより、情報記録再生装置の生産性を向上させることができる。
【００４１】
また、上記実施形態３の対物レンズ駆動装置を備えることによって、作業時に弾性支持部材の変形を起こすことがなくなり、歩留まりが良くなる。ゆえに、情報記録再生装置の生産性も向上するとともに、安定した信頼性の高い情報記録再生装置を提供することができる。
【００４２】
なお、今回開示した上記実施形態はすべての点で例示であって制限的なものではない。本発明の範囲は上記した説明ではなく特許請求の範囲によって示され、特許請求の範囲と均等の意味及び範囲内でのすべての変更を含むものである。
【図面の簡単な説明】
【００４３】
【図１】本発明による対物レンズ駆動装置の一実施形態を示す平面図である。
【図２】対物レンズ駆動装置の側面図をディスクとともに示す図である。
【図３】図１のＡ−Ａ部における断面図である。
【図４】ダンプ保持部材の斜視概略図である。
【図５】フォーカス方向に駆動された状態の対物レンズ駆動装置を示す正面概略図である。
【図６】トラッキング方向に駆動された状態の対物レンズ駆動装置を示す正面概略図である。
【図７】本発明の対物レンズ駆動装置の第３の実施形態を示す側面図である。
【図８】対物レンズ駆動装置が備えるダンプ保持部材の斜視概略図である。
【図９】特許文献１に開示された対物レンズ駆動装置の構成例を示す斜視図である。
【図１０】特許文献２に記載された光学ピックアップ装置における対物レンズアクチュエータ（対物レンズ駆動装置）の構成例を示す斜視図である。
【符号の説明】
【００４４】
１，２１，３１…対物レンズ、２…レンズホルダ、３…フォーカスコイル、４…トラッキングコイル、５…弾性支持部材、６…マグネット、７…ベース、８…ヨーク、９…ダンプ材、１０…ダンプ保持部材、１０ａ…ダンプ充填部、１０ｂ…保護部、１０ｃ…ダンプ材注入用穴部、１１…可動部、１２…空間部、２２…フレキシブル基板、２３…ベース、２４…枠、３２…ワイヤ、３３…周壁部、３４…スライドベース、ｏ…開口。
【図１】
2005267820.tif 000003
【図２】
2005267820.tif 000004
【図３】
2005267820.tif 000005
【図４】
2005267820.tif 000006
【図５】
2005267820.tif 000007
【図６】
2005267820.tif 000008
【図７】
2005267820.tif 000009
【図８】
2005267820.tif 000010
【図９】
2005267820.tif 000011
【図１０】
2005267820.tif 000012